(57)【要約】【課題】上部タンクのパチンコ玉を貯留する容量を大きくすることが可能で且つパチンコ玉のブリッジが起こることのないユニット式遊技島を提供する。【解決手段】上部タンク１０は底壁１４と側壁１２との境界部にはパチンコ台などへパチンコ玉を補給する補給口３０…を設け、底壁は各補給口３０…へ向って下り傾斜し、各補給口の上方には底壁との間でパチンコ玉が通過可能な圧力防止部材２６を設け、底壁の傾斜によって移動するパチンコ玉を各補給口へ誘導する玉誘導部材２８を底壁に立設し、玉均し部材１６を圧力防止部材の上方に配設し、玉均し部材にはその上面を転動するパチンコ玉が下方へ流下する流下口２０，２１，２４を設け、パチンコ玉が圧力防止部材の下方の底壁上を移動して玉誘導部材に沿って各補給口へ移動するように構成し、上部タンクの長さ寸法がパチンコ台３と玉貸機４をあわせた幅と略同寸法である構成とした。【選択図】図３
2008220607.tif 000002
【特許請求の範囲】
【請求項１】
前面にパチンコ台と玉貸機と、もしくはさらに預玉返却機とを適宜隣接して設けてセットとし該セットを１または複数備え、パチンコ玉を貯留可能であって該貯留したパチンコ玉を前記パチンコ台または前記玉貸機または前記預玉返却機へパチンコ玉を補給する上部タンクと、該上部タンクへパチンコ玉を揚送する玉揚送装置とを設けて、一体のユニットとして形成したユニット式遊技島において、
前記上部タンクは底壁がパチンコ台左右方向に傾斜し、側壁が前記底壁のパチンコ台前後方向両端部から立設し、
前記底壁と前記側壁との境界部には前記パチンコ台へパチンコ玉を流下させるためのパチンコ台補給口を少なくとも設け、前記玉貸機へパチンコ玉を流下させるための玉貸機補給口、前記預玉返却機へパチンコ玉を流下させるための預玉返却機補給口のうち少なくともいずれか一方を設け、
前記底壁は前記各補給口へ向って下り傾斜し、
前記各補給口はそれぞれ所定の間隔を開けて設けられ、
前記各補給口の上方には前記底壁との間でパチンコ玉が通過可能な圧力防止部材を設け、
前記各補給口のそれぞれに対応して前記底壁の傾斜によって移動するパチンコ玉を前記各補給口へ誘導する玉誘導部材を前記底壁に立設し、
板状に形成した玉均し部材を前記圧力防止部材の上方に配設し、
該玉均し部材にはその上面を転動するパチンコ玉が下方へ流下する流下口を設け、
パチンコ玉が前記圧力防止部材の下方の前記底壁上を移動して前記玉誘導部材に沿って前記各補給口へ移動するように構成し、
前記上部タンクの長さ寸法が前記１または複数のセット分の幅と略同寸法であることを特徴とするユニット式遊技島。
【発明の詳細な説明】
【技術分野】
【０００１】
本発明は、パチンコ台を設置し、該パチンコ台で使用するパチンコ玉を循環させるための玉揚送装置などの機器を設けて、一体のユニットとして形成したユニット式遊技島に関するものである。
【背景技術】
【０００２】
近年のパチンコ遊技店に設置される主な遊技島では、１つの遊技島の前後両面に多数（例えば片側１５台〜２０台など）のパチンコ台を列設し、パチンコ台で使用したパチンコ玉を遊技島内の下部に設けた回収樋で回収し、回収したパチンコ玉を玉揚送装置で遊技島内の上部に設置した上部タンクへ揚送し、上部タンクからパチンコ台の上方を島端まで下り傾斜させて設置した補給樋を介してパチンコ玉を各パチンコ台へ補給して遊技島内のパチンコ玉を循環させている。しかし、上記のような遊技島の施工においては、熟練した専門の技術が必要とされる困難な作業であるため、昨今では少数（例えば片側１台〜２台など）のパチンコ台を設置しパチンコ玉を循環させる装置を内部に一体に設けてユニット化した遊技島も提案されており、このユニット化した遊技島の提案により、熟練した技術作業者以外の人でも簡単に島構築ができるようになっている。
【０００３】
例えば特許文献１に示された遊技島は、前後面に各１台ずつのパチンコ台と、景品玉計数機とを設け、内部には、下部タンクと、揚送装置と上部タンクとを設けてユニット化した遊技島であって、パチンコ台で使用されたパチンコ玉や景品玉計数機から返却されたパチンコ玉が排出通路を介して下部タンクに回収され、下部タンク内のパチンコ玉は揚送装置により上部タンクへ揚送され、上部タンクから補給通路を介してパチンコ台へ補給することにより、内部でパチンコ玉を循環させている。
【特許文献１】特開平９−２６２３６２号公報
【発明の開示】
【発明が解決しようとする課題】
【０００４】
特許文献１に示されたような遊技島においては、パチンコ台における遊技にて連続して「大当たり」となった場合には多量のパチンコ玉が短時間で排出されることになるので、パチンコ台へ補給するためのパチンコ玉を貯留する上部タンクの容量を極力大きくする必要があった。しかしながら、上部タンクが設置できるのはユニット化した遊技島内の限られたスペースの中であるので大きくするにも限界がある。
【０００５】
また、上部タンクには多段に積載された状態で多量のパチンコ玉が貯留されるので、通常は特許文献１に示された構成のように上部タンクの下端から傾斜して接続させた樋状の補給通路を介して、多段に積載されたパチンコ玉を１段に均した状態でパチンコ台に補給している。この補給通路をなくして上部タンクから直接パチンコ玉をパチンコ台へ補給する構成とし、なくした補給通路の高さ分だけ上部タンクを大きくすることも考えられるが、そうすると多段に積載されたパチンコ玉の圧力によって、上部タンクからのパチンコ玉の出口においてパチンコ玉がブリッジしてしまい流れなくなるという問題があった。
【０００６】
本発明は、このような従来の問題点に鑑み、上部タンクのパチンコ玉を貯留する容量を大きくすることが可能で且つパチンコ玉のブリッジが起こることのないユニット式遊技島を提供することを目的とする。
【課題を解決するための手段】
【０００７】
上記目的を達成するため、本発明は、前面にパチンコ台と玉貸機と、もしくはさらに預玉返却機とを適宜隣接して設けてセットとし該セットを１または複数備え、パチンコ玉を貯留可能であって該貯留したパチンコ玉を前記パチンコ台または玉貸機または預玉返却機へパチンコ玉を補給する上部タンクと、上部タンクへパチンコ玉を揚送する玉揚送装置とを設けて、一体のユニットとして形成したユニット式遊技島において、上部タンクは底壁がパチンコ台左右方向に傾斜し、側壁が底壁のパチンコ台前後方向両端部から立設し、底壁と側壁との境界部にはパチンコ台へパチンコ玉を流下させるためのパチンコ台補給口を少なくとも設け、玉貸機へパチンコ玉を流下させるための玉貸機補給口、預玉返却機へパチンコ玉を流下させるための預玉返却機補給口のうち少なくともいずれか一方を設け、底壁は各補給口へ向って下り傾斜し、各補給口はそれぞれ所定の間隔を開けて設けられ、各補給口の上方には底壁との間でパチンコ玉が通過可能な圧力防止部材を設け、各補給口のそれぞれに対応して底壁の傾斜によって移動するパチンコ玉を各補給口へ誘導する玉誘導部材を底壁に立設し、板状に形成した玉均し部材を圧力防止部材の上方に配設し、玉均し部材にはその上面を転動するパチンコ玉が下方へ流下する流下口を設け、パチンコ玉が圧力防止部材の下方の底壁上を移動して玉誘導部材に沿って各補給口へ移動するように構成し、上部タンクの長さ寸法が１または複数のセット分の幅と略同寸法である構成とした。
【発明の効果】
【０００８】
本発明によれば、パチンコ玉を上部タンクからパチンコ台などへ補給するための補給口を上部タンクに直接設けたので、従来別途設置していた樋状の補給通路をなくすことができ、なくした補給通路の高さ分だけ上部タンクを大きくすることが可能となる。したがって、上部タンク内のパチンコ玉の貯留量を増やすことができる。また、補給口上方に圧力防止部材を設けてパチンコ玉が圧力防止部材の下方の底壁上を移動して玉誘導部材に沿って補給口へ移動するように構成したので、補給口においてパチンコ玉がブリッジすることがない。
【発明を実施するための最良の形態】
【０００９】
以下、図面に基づいて本発明の実施の形態を詳細に説明する。図１はユニット式遊技島１の構造を概略的に示す図である。ユニット式遊技島１の外部は、例えば略直方体形状の外壁から成り、前後両面にパチンコ台３、玉貸機４、預玉返却機５、景品玉計数機７が、それぞれ一対設けてある。ユニット式遊技島１内部には下部タンク８、玉揚送装置９、上部タンク１０がそれぞれ１台ずつ設けてある。
【００１０】
先ず、ユニット式遊技島１内部空間の機構においては供給用の上部タンク１０と回収用の下部タンク８とを具え、該下部タンク８から上部タンク１０へ揚送する玉揚送装置９が立設されている。そして、パチンコ台３で使用され排出するアウト玉と景品玉計数機７で計数された後の景品玉は下部タンク８内に回収され、玉揚送装置９により揚送し、上部タンク２４からユニット式遊技島１の前後両面に設けたパチンコ台３、玉貸機１８、預玉返却機５へシュート部材３２および蛇腹状の補給管３４を介して補給するようにしてユニット式遊技島１内でパチンコ玉を循環させている。
【００１１】
ユニット式遊技島１において、パチンコ台３の左側には玉貸機４が併設されている。玉貸機４に貨幣（紙幣か硬貨）又は金額データを記憶した記憶媒体（カードまたはコイン）を投入口４ａに投入することにより、金額に応じた数の貸玉が貸玉供給管４ｂ内を転動して玉受皿部３ａ内へと貸出されていく。この玉貸機４は、パチンコ台３へ貸出すべきパチンコ玉数のデータなどを送信してパチンコ台３に玉受皿部３ａへ直接貸玉を払い出させるタイプのものであってもよく、その場合は玉貸機４へパチンコ玉を補給する必要はなく、貸玉供給管４ｂを設ける必要もない。
【００１２】
ユニット式遊技島１の棚板部６には景品玉計数機７が設けられている。パチンコ台３で獲得した景品玉を該景品玉計数機７に投入することにより、該景品玉が計数されて下部タンク８へ送られる。
【００１３】
パチンコ台の右側には預玉返却機５が併設されている。預玉返却機５は景品玉計数機７にて計数したパチンコ玉数を、内部に予めストックしてある記憶媒体（カードまたはコイン）に預玉数として記憶させる。そして、預玉返却ボタン５ｂを押すことにより、記憶されている預玉数の範囲内で一定量のパチンコ玉を払出部５ｅから払い出される。また、記憶媒体返却ボタン５ｃを押すことにより、預玉数を記憶した記憶媒体（カードまたはコイン）が返却される。この返却された記憶媒体は再度預玉返却機５に投入することによりパチンコ玉の払出が可能となり、他のパチンコ台３に併設された預玉返却機５にて使用することも可能である。
【００１４】
図２乃至図６は本発明の要旨である上部タンク１０の構成を示す図であり、図２は上部タンク１０の外観斜視図、図３は上部タンク１０の分解斜視図、図４は（ａ）が上部タンク１０の平面図、（ｂ）が正面図、図５は図４（ｂ）におけるＡ−Ａ断面図、図６は図４（ａ）におけるＢ−Ｂ断面図である。上部タンク１０は横長直方体形の有底箱体に形成してあり、上部タンク１０の長手方向の両端の壁には上部タンク１０内のパチンコ玉の量を検出する玉量検出スイッチ３６を設けてある。上部タンク１０内部の上流端部側に玉揚送装置９の玉排出口９ａが配設され、玉排出口９ａから排出されるパチンコ玉が上部タンク１０内部に転動する。また、パチンコ玉を貯留可能な量を極力多くするために上部タンク１０の長さは、ユニット式遊技島の前面にそれぞれ隣接して設けたパチンコ台３と玉貸機４と（もしくはさらに預玉返却機５と）をあわせた幅と略同寸法で形成してある。
【００１５】
詳細は後述するように、上部タンク１０まで揚上してきたパチンコ玉は、傾斜して配設された板状の玉均し部材１６によって下流側へ移送されながら底壁１４に流下し、パチンコ台３、玉貸機４、預玉返却機５にパチンコ玉を補給すべく、補給口３０…からシュート部材３２および蛇腹状の補給管３４（図１）を介してパチンコ台３、玉貸機４、預玉返却機５に向けて流下する。
【００１６】
上部タンク１０内の上部には、上部タンク１０の長手方向（パチンコ台３の横方向）に傾斜した玉均し部材１６を配設してあり、該玉均し部材１６の両側端は、折り曲げ垂立させることで形成した側板２３，２３と、その両側板２３，２３間に形成される底板１８，１８とからなる。
【００１７】
底板１８の玉揚送装置９の玉排出口９ａ近傍にはガイド１９が設けてある。また、底板１８には、長円状に形成した複数のパチンコ玉の第１流下口２０…が、両側壁１２，１２に取付けた後述の圧力防止部材２６，２６の上方位置に所定間隔で設けてある。側板２３，２３には、パチンコ玉の第３流下口２４，２４が、第１流下口２０…間の位置に設けてある。底板１８の最下流端には第２の流下口２１が設けてある。また、第１流下口２０は後述の側壁１２に設けた補給口３０…とは交互の位置関係で設けてある。
【００１８】
底壁１４は、上部タンク１０の長手方向に傾斜し且つ幅方向の中央で上方に凸状として両側壁１２，１２へ下り傾斜となるように形成してある。側壁１２，１２の底壁１４との境界位置には、パチンコ玉の補給口３０…が所定間隔で前後両面に３つずつの計６つ設けてあり、この各補給口３０…にはシュート部材３２…が取り付けてある。シュート部材３２には蛇腹状の補給管３４が繋がっていて、この補給管３４…をそれぞれ玉貸機４、パチンコ台３、預玉返却機５に繋げている。
【００１９】
圧力防止部材２６は、板材を側壁１２，１２に固定したものであり、パチンコ玉が底壁１４の板幅方向中央に向って流下するように傾斜が付けてある。また、両側の圧力防止部材２６の先端はパチンコ玉が底壁１４へ落下できるように所定の間隔が設けられており、底壁１４との間でパチンコ玉が通過できる高さに設けてある（図６参照）。
【００２０】
底壁１４には補給口３０…の下流側端部から側壁１２とほぼ垂直な方向に向って玉誘導部材２８を設けてある。また、最下流側の補給口３０に対しては、上部タンク１０の下流端の壁が玉誘導部材２８の役割を果たしている。
【００２１】
補給口３０…の上流側の所定の間隔をあけた位置には、上流側を凸として板材を屈曲させた空間形成部材２９を立設してある（図３、図５参照）。この空間形成部材２９は、対応する補給口３０より上流側の補給口３０に対して設けた玉誘導部材２８と部材を共有しており、当該玉誘導部材２８の先端部を屈曲させることにより形成している。
【００２２】
上記のように、上部タンク１０には、玉揚送装置９からのパチンコ玉がその排出口から流入してくるが、そのときのパチンコ玉の流れについて説明する。上部タンク１０には、玉揚送装置９からのパチンコ玉が流入し、ガイド１９によって玉均し板１６の中央側へ案内され、底板１８上を上部タンク１０の下流方向に転動する。その際に、パチンコ玉が、底板１８に設けた第１乃至第３の流下口２０，２１，２４から圧力防止部材へ落下する。
【００２３】
落下したパチンコ玉は、圧力防止部材２６の上面部分に当たり、その斜面に沿って流下し底壁１４の幅方向中央へ落下する。底壁１４に落下したパチンコ玉は、その底壁１４の傾斜に沿って再度上部タンク９の下流方向に搬送される。その際に、底壁１４は側壁１２へ向って傾斜しているため、パチンコ玉は圧力防止部材２６の下方へ流下し、底壁１４から補給口３０…に入ってシュート部材３２、補給管３４を介して玉貸機４、パチンコ台３、預玉返却機５に向けて流下する。
【００２４】
そして、本実施例の上部タンク１０は、圧力防止部材２６上や底壁１４中央の凸部上ではパチンコ玉を多段に積載した状態で貯留することが可能である。そして、上部タンク１０の上部に玉均し板１６を配設し当該玉均し板１６に第１流下口２０、第２流下口２１、第３流下口２４を設けたので、パチンコ玉が一箇所で山なりになることがなく均一に貯留される。また、上部タンク１０に直接シュート部材３２を接続してパチンコ玉を補給しているので、従来上部タンク底から別途設置していた樋状の補給通路をなくすことができ、なくした補給通路の高さ分だけ上部タンク１０を大きくすることが可能となる。したがって、上部タンク１０内のパチンコ玉の貯留量を増やすことができる。さらに、樋状の補給通路が必要なくなるので、設置作業の軽減やコストの低減に繋がる。
【００２５】
また、パチンコ玉が多段に積載された上部タンク１０から直接シュート部材３２を接続してパチンコ玉を補給しようとすると、補給口３０にパチンコ玉による多大な圧力が掛かりやすくなるが、本実施例では補給口３０…上方に圧力防止部材２６を設けたので、底壁１４に落下したパチンコ玉は圧力防止部材２６の先端と底壁１４との間を通過した後、補給口３０…に到達することとなり、補給口３０…の手前ではパチンコ玉が多段に重なった状態とならずに整然と流れるようにしたので、補給口３０…でパチンコ玉がブリッジすることを確実に防止することができる。即ち、本実施例の構成により上部タンク１０の容量を大きくし、且つパチンコ玉のブリッジを防止することが可能となった。
【００２６】
また、玉誘導部材２８を設けていない場合は、下流側に滞留したパチンコ玉にぶつかりながら流下することになるのでスムーズな流下ができなくなるが、本実施例では補給口３０…の端部に繋がる玉誘導部材２８を設けたので、補給口３０…近傍のパチンコ玉が玉誘導部材２８に沿ってスムーズに補給口３０…へ移動することができる。
【００２７】
また、本実施例では、補給口３０から所定の距離を開けた底壁傾斜上流側に、板材を上流側を凸として屈曲させた空間形成部材２９を設けたので（図５参照）、図５の矢印に示すようにパチンコ玉が流れ、空間形成部材２９の下流側の領域Ａにはパチンコ玉が流れずに空間が形成された状態となる。したがって補給口３０の全域にパチンコ玉が一度に押し寄せることなく、補給口３０には上流側の領域Ａに空間を形成した状態でパチンコ玉が流れるので、ブリッジを防止することができる。さらに、この空間形成部材２９は、対応する補給口３０より上流側の補給口３０に対して設けた玉誘導部材２８と部材を共有しているので部品点数を少なくすることができる。また、この空間形成部材２９は屈曲させて形成する構成としたが、滑らかに湾曲させて形成してもよい。
【００２８】
なお、本実施例ではユニット式遊技島１を前後にパチンコ台３を１台ずつの計２台設けた構成としたが、これに限定されず、前後それぞれにパチンコ台３を複数台設けた構成としてもよく、片面側のみにパチンコ台３を１台または複数台設けた構成としてもよい。そして、片面側に複数台のパチンコ台３を設けたユニット式遊技島１としたときは、上部タンクの長さをパチンコ台３と玉貸機４と預玉返却機５の複数台分の幅と略同寸法で形成し、必要数の補給口を設けて１つの上部タンクを複数のパチンコ台３で共有する構成としてもよいし、パチンコ台３と玉貸機４と預玉返却機５の１台分の幅と略同寸法で形成した上部タンクをそれぞれのパチンコ台に対応して設置する構成としてもよい。
【００２９】
また、補給口３０…がそれぞれ発明におけるパチンコ台補給口、玉貸機補給口、預玉返却機補給口を構成しているが、それぞれにどの補給口３０に繋がっている補給管３４を繋ぐかは特に限定しない。また、預玉返却機５の設置の有無は発明の範囲を限定するものではない。
【図面の簡単な説明】
【００３０】
【図１】ユニット式遊技島の内部構造を示す概略図である。
【図２】上部タンクの外観斜視図である。
【図３】上部タンクの分解斜視図である。
【図４】（ａ）が上部タンクの平面図、（ｂ）が正面図である。
【図５】図４におけるＡ−Ａ断面図である。
【図６】図４におけるＢ−Ｂ断面図である。
【符号の説明】
【００３１】
１    ユニット式遊技島
３    パチンコ台
４    玉貸機
５    預玉返却機
６    棚板部
７    景品玉計数機
８    下部タンク
９    玉揚送装置
１０    上部タンク
１２    側壁
１４    底壁
１６    玉均し部材
１８    底板
１９    ガイド
２０    第１流下口
２１    第２流下口
２３    側板
２４    第３流下口
２６    圧力防止部材
２８    玉誘導部材
２９    空間形成部材
３０    玉補給口
３２    シュート部材
３４    補給管
３６    玉量検出スイッチ
【図１】
2008220607.tif 000003
【図２】
2008220607.tif 000004
【図３】
2008220607.tif 000005
【図４】
2008220607.tif 000006
【図５】
2008220607.tif 000007
【図６】
2008220607.tif 000008